(57)【要約】  溶離液の種類や温度、混合比、送液圧力に関わらず、正確かつ高精度な低圧グラジエント方式を有する送液装置及び液体クロマトグラフ装置を提供する。  溶離液の吸引口と吐出口を有するシリンダと、前記シリンダ内を往復運動するプランジャと、を有し、吸入口と吐出口を有するシリンダと、前記シリンダ内を往復運動するプランジャと、を有し、前記溶離液の吸引、吐出を行うポンプ部と、前記ポンプ部が吸引する複数の溶離液の種類を開閉動作によって切り替える弁手段と、前記ポンプ部の吐出口から吐出される溶離液の圧力を検出する圧力センサと、前記弁手段の開閉動作を制御する制御部と、を有し、前記制御部は、当該複数の溶離液を吸引するときに前記プランジャが吸引動作を開始する吐出圧力から、前記溶離液が吸引され始めるまでの減圧区間と、前記減圧区間ののちに、前記溶離液が実際に吸引されている実吸引区間と、を求め、前記弁手段の開閉動作が、当該求めた実吸引区間内において行われるように制御する。
2014030498.tif 000002
【特許請求の範囲】
【請求項１】
溶離液の吸入口と吐出口を有するシリンダと、前記シリンダ内を往復運動するプランジャと、を有し、前記溶離液の吸引、吐出を行う送液ポンプと、
前記送液ポンプが吸引する複数の溶離液の種類を開閉動作によって切り替える弁手段と、
前記送液ポンプの吐出口から吐出される溶離液の圧力を検出する圧力センサと、
当該吐出された溶離液の流路中に液体試料を注入するオートサンプラと、
当該注入された液体試料を成分ごとに分離するカラムと、
当該分離された各成分を成分ごとに検出する検出器と、
前記弁手段の開閉動作を制御する制御部と、を有する液体クロマトグラフ装置であって、
前記制御部は、
前記プランジャが当該複数の溶離液の吸引動作を開始したのち、前記溶離液の吸引が開始されるまでの減圧区間と、
前記減圧区間ののちに、前記溶離液が実際に吸引されている実吸引区間と、を求め、
前記弁手段の開閉動作が、当該求めた実吸引区間内において行われるように制御することを特徴とする液体クロマトグラフ装置。
【請求項２】
請求項１に記載された液体クロマトグラフ装置において、
前記制御部は、前記プランジャが前記溶離液の圧縮動作を開始してから、当該吸引した溶離液を吐出するまでに要する前記プランジャの移動距離に基づいて、
前記プランジャが、前記減圧区間に要するパルス数と、前記実吸引区間に要するパルス数と、を求めることを特徴とする液体クロマトグラフ装置。
【請求項３】
請求項１に記載された液体クロマトグラフ装置において、
前記制御部は、前記プランジャが前記溶離液の圧縮動作を開始してから、当該吸引した溶離液を吐出するまでに要する前記プランジャの移動距離に基づいて、
前記プランジャが、前記減圧区間に移動する距離と、前記実吸引区間に移動する距離と、を求めることを特徴とする液体クロマトグラフ装置。
【請求項４】
請求項１に記載された液体クロマトグラフ装置において、
前記制御部は、
前記実吸引区間内において、当該吸引される溶離液の混合比を変化させるように、前記弁手段の開閉動作を制御することを特徴とする液体クロマトグラフ装置。
【請求項５】
請求項１に記載された液体クロマトグラフ装置において、
前記シリンダ内の圧力を検出する圧力センサをさらに備え、
前記制御部は、
前記シリンダ内の圧力を検出する圧力センサから検出される第１の圧力値と、
前記ポンプの吐出口から吐出される溶離液の圧力を検出する圧力センサから検出される第２の圧力値と、に基づいて、
当該溶離液の送液を制御することを特徴とする液体クロマトグラフ。
【請求項６】
請求項５に記載された液体クロマトグラフ装置において、
前記制御部は、
前記プランジャが前記溶離液の圧縮動作を開始してから、当該吸引した溶離液を吐出するまでに要する前記プランジャの移動距離に基づいて、
前記プランジャが、前記減圧区間に要するパルス数と、前記実吸引区間に要するパルス数と、を求めることを特徴とする液体クロマトグラフ装置。
【請求項７】
請求項５に記載された液体クロマトグラフ装置において、
前記制御部は、
前記プランジャが前記溶離液の圧縮動作を開始してから、当該吸引した溶離液を吐出するまでに要する前記プランジャの移動距離に基づいて、
前記プランジャが、前記減圧区間に移動する距離と、前記実吸引区間に移動する距離と、を求めることを特徴とする液体クロマトグラフ装置。
【請求項８】
溶離液の吸引口と吐出口を有するシリンダと、前記シリンダ内を往復運動するプランジャと、を有し、吸入口と吐出口を有するシリンダと、前記シリンダ内を往復運動するプランジャと、を有し、前記溶離液の吸引、吐出を行うポンプ部と、
前記ポンプ部が吸引する複数の溶離液の種類を開閉動作によって切り替える弁手段と、
前記ポンプ部の吐出口から吐出される溶離液の圧力を検出する圧力センサと、
前記弁手段の開閉動作を制御する制御部と、を有する送液装置であって、
前記制御部は、
当該複数の溶離液を吸引するときに前記プランジャが吸引動作を開始する吐出圧力から、前記溶離液が吸引され始めるまでの減圧区間と、
前記減圧区間ののちに、前記溶離液が実際に吸引されている実吸引区間と、を求め、
前記弁手段の開閉動作が、当該求めた実吸引区間内において行われるように制御することを特徴とする送液装置。
【請求項９】
請求項８に記載された送液装置において、
前記制御部は、前記プランジャが前記溶離液の圧縮動作を開始してから、当該吸引した溶離液を吐出するまでに要する前記プランジャの移動距離に基づいて、
前記プランジャが、前記減圧区間に要するパルス数と、前記実吸引区間に要するパルス数と、を求めることを特徴とする送液装置。
【請求項１０】
請求項８に記載された送液装置において、
前記制御部は、前記プランジャが前記溶離液の圧縮動作を開始してから、当該吸引した溶離液を吐出するまでに要する前記プランジャの移動距離に基づいて、
前記プランジャが、前記減圧区間に移動する距離と、前記実吸引区間に移動する距離と、を求めることを特徴とする送液装置。
【請求項１１】
請求項８に記載された送液装置において、
前記制御部は、前記実吸引区間内において、当該吸引される溶離液の混合比を変化させるように、前記弁手段の開閉動作を制御することを特徴とする送液装置。
【請求項１２】
請求項８に記載された送液装置において、
前記シリンダ内の圧力を検出する圧力センサをさらに備え、
前記制御部は、
前記シリンダ内の圧力を検出する圧力センサから検出される第１の圧力値と、
前記ポンプ部の吐出口から吐出される溶離液の圧力を検出する圧力センサから検出される第２の圧力値と、に基づいて、
当該溶離液の送液を制御することを特徴とする送液装置。
【請求項１３】
請求項１０に記載された送液装置において、
前記制御部は、
前記プランジャが前記溶離液の圧縮動作を開始してから、当該吸引した溶離液を吐出するまでに要する前記プランジャの移動距離に基づいて、
前記プランジャが、前記減圧区間に要するパルス数と、前記実吸引区間に要するパルス数と、を求めることを特徴とする送液装置。
【請求項１４】
請求項１０に記載された液体クロマトグラフ装置において、
前記制御部は、
前記プランジャが前記溶離液の圧縮動作を開始してから、当該吸引した溶離液を吐出するまでに要する前記プランジャの移動距離に基づいて、
前記プランジャが、前記減圧区間に移動する距離と、前記実吸引区間に移動する距離と、を求めることを特徴とする送液装置。
【発明の詳細な説明】
【技術分野】
【０００１】
本発明は、液体クロマトグラフ装置及び送液装置に関する。
【背景技術】
【０００２】
液体クロマトグラフは、送液装置により送液される溶媒（溶離液）に分析対象試料を加え、分離カラムで試料の成分分離を行い、異なる時間で送られる各成分を分光計等の検出器で検出して、試料の成分を特定する分析装置である。【０００３】
液体クロマトグラフの送液装置の一例として、シリンダ内で往復運動するプランジャにより溶離液の送液を行う方式が知られている。【０００４】
上記のような装置を用いた液体クロマトグラフの送液においては、複数の溶離液を用いて溶離液の組成を変化させながら送液することで、分析対象試料の分離カラムでの分離度が向上し、分析時間の短縮をはかることができるグラジエント送液システムがある。【０００５】
本システムには、送液を行うシリンダの上流側での大気圧から低圧条件下で複数の溶離液の組成を変化させる低圧グラジエント方式と呼ばれる送液方式がある。低圧グラジエント方式では、送液装置が吸引を開始した際に、送液装置上流側に設置された溶離液の組成を変化させる機構（一般的には各溶離液に接続された開閉弁の開閉時間を調整する）が吸引時間の間に溶離液の組成を変化させ、送液装置に複数の溶離液を吸引させることで実現される。【０００６】
このように、低圧グラジエント方式では送液装置の上流側で溶離液の組成を変更していることから、送液圧力が高くなるにつれて溶離液の混合性能が低下することがある。【０００７】
これは、溶離液の吐出を終了したシリンダ内のプランジャが吸引動作を開始した際、シリンダ内の圧力が大気圧まで減圧されるまでの間は溶離液がシリンダ内に吸引されないことにより、混合比の組成を変化させる時間と実吸引時間に差が出てしまうことが原因である。このような溶離液の混合比の精度は、最終的な分析結果にも影響を及ぼすこととなる。【０００８】
特許文献１では、送液圧力から大気圧まで減圧される時間を予測に基づいて算出し、混合比の組成を変化させる時間を補正する方法が提案されている。
【先行技術文献】
【特許文献】
【０００９】
【特許文献１】特許第３１７２４２９号公報
【発明の概要】
【発明が解決しようとする課題】
【００１０】
送液する溶離液の種類は多種多様であり、各々の溶離液は、体積弾性係数等の物性値について、異なる値を有する。また、溶離液の温度等といった種々の条件による影響を受け、これらの因子は変化することがある。【００１１】
しかしながら、特許文献１に開示された方法においては、送液圧力の情報にのみ基づいて混合比の補正を行っているため、取り扱う溶離液の種類、及びその性質については何ら考慮されていない。従って本方法では、溶離液の種類や混合比、及びその他の事情によって、その体積弾性係数等の特性に変化が生じた場合には対処することができない。【００１２】
本発明は、溶離液の種類や温度、混合比の組成、送液圧力に関わらず正確かつ高精度な低圧グラジエント方式を有する装置、及び当該装置を用いた方法を提供することを目的とする。
【課題を解決するための手段】
【００１３】
上記目的を達成するための一態様として、溶離液の吸入口と吐出口を有するシリンダと、前記シリンダ内を往復運動するプランジャと、を有し、前記溶離液の吸引、吐出を行うポンプ部と、前記ポンプ部が吸引する複数の溶離液の種類を開閉動作によって切り替える弁手段と、前記ポンプ部の吐出口から吐出される溶離液の圧力を検出する圧力センサと、前記弁手段の開閉動作を制御する制御部と、を有する装置であって、前記制御部は、前記プランジャが当該複数の溶離液の吸引動作を開始したのち、前記溶離液の吸引が開始されるまでの減圧区間と、前記減圧区間ののちに、前記溶離液が実際に吸引されている実吸引区間と、を求め、前記弁手段の開閉動作が、当該求めた実吸引区間内において行われるように制御することを特徴とする装置を提供する。
【発明の効果】
【００１４】
上記一態様によれば、溶離液の種類や、その温度、混合比の組成、及び送液圧力等に関わらず、正確かつ高精度な低圧グラジエント方式による送液を実現することができる。
【図面の簡単な説明】
【００１５】
【図１】液体クロマトグラフ装置の構成の概略を示す図。
【図２】液体クロマトグラフ装置に搭載される送液装置の構成の一例を示す図。
【図３】送液装置の吸引区間の圧力変化の一例を示すグラフ。
【図４】本発明の実施の形態に係る制御ユニット（データ処理装置）２２の構成の一部を示す図。
【図５】本発明の実施の形態に係る送液の手順を示すフローチャート。
【図６】本発明の実施の形態に係る操作手順とそれに伴うデータ処理装置１１０の処理を示すフローチャート。
【図７】本発明の実施の形態に係る、第１シリンダの圧力変化の概略図とシリンダの送液状態と逆止弁、開閉弁の状態を示す図。
【図８】図２に示した実施形態とは異なる送液装置の構成例を示す図。
【図９】図２、図８に示した実施形態とは異なる送液装置の構成例を示す図。
【発明を実施するための形態】
【実施例１】
【００１６】
図１は、低圧グラジエント方式による送液を行う液体クロマトグラフ装置の構成の概略を示す。【００１７】
本装置では、複数の容器１ａ〜１ｄに収納された複数の種類の溶離液が、複数の開閉弁を有する切換装置２により選択され、送液装置３により吸引、吐出される。吐出された溶離液は、切換装置２へ送液される。【００１８】
切換装置２は、容器１ａ〜１ｄの溶離液を選択的に切り替えることで、送液装置３から送液される溶離液の混合比を変化させ、溶離液の組成比を変えることができる。【００１９】
試料注入部４は、切換装置２によって切り換えられた溶離液の流路中に、分析対象である液体試料を注入する。【００２０】
注入された液体試料は、分離カラム５にて成分ごとに分離される。分子量や疎水性、電荷等の違いにより、分離カラム５から出てくる時間は各成分において異なる。【００２１】
分離カラム５は、温度を一定に保つためにカラムオーブン内に設置される場合もある。【００２２】
検出器６は、時間差を生じて分離カラム５から出てきた各成分を検出する。【００２３】
図２は、図１に示した送液装置３の構成の一例を示している。【００２４】
本構成では、プランジャとシリンダからなる２つのポンプユニットを直列に接続し、シリーズ方式による送液を採用している。【００２５】
各々のポンプユニットにおいては、カムにより、モータの回転運動をプランジャの往復運動に変換している。【００２６】
モータ２１の回転動作は、ベルト１８によってカムシャフト１７へ伝達され、第１カム１５により第１プランジャ１３が往復動作し、第２カム１６により第２プランジャ１４が往復動作する。【００２７】
カムシャフト１７の回転数は、制御ユニット２２にて認識される。【００２８】
この認識の仕方については種々の方法があるが、例えばカムシャフト１７にスリットを設けた円板１９を取り付け、センサ２０で、光学、静電容量、磁力線などの方法でスリットを検知することで、カムシャフト１７の回転数を検知することができる。【００２９】
第２シリンダ１１の下流の配管には、配管内の圧力を計測する圧力センサ１２が設けられ、この圧力センサ１２で計測された配管内の圧力の値が制御ユニット２２へ送られる。【００３０】
制御ユニット２２は、この配管内の圧力の値に応じて、モータ２１の回転数を制御し、カムシャフト１７の回転数は前述したセンサ２０で計測されて制御ユニット２２へ送られ、モータ２１の回転数が調整される。【００３１】
複数の溶離液の混合比を時間とともに徐々に変化させる低圧グラジエント方式では、第１シリンダ９の吸引動作区間内の入口側逆止弁８が開放している区間において切換装置２に設置された複数の開閉弁７ａ〜７ｄが開閉動作を行う。【００３２】
制御ユニット２２は、該当する溶離液に対応する開閉弁７ａ〜７ｄの開閉時間とタイミングを調整することにより混合比を変化させ、様々な溶離液の組成比率を実現させる。【００３３】
図４は、本発明の実施の形態に係る制御ユニット（データ処理装置）２２の構成図の一部である。なお、ここで図示したもの以外にも、データ処理装置２２は、各種プログラムを実行するための演算手段としての演算処理装置（例えば、ＣＰＵ）と、当該プログラムをはじめ各種データを記憶するための記憶手段としての記憶装置と、各装置へのデータ及び指示等の入出力制御を行うための入出力演算処理装置を備えている。【００３４】
図４において、データ処理装置２２は、入力部２４と、演算部２５と、記憶部２６と、送液制御部２７と、出力部２８を備えている。【００３５】
入力部２４は、送液装置３の制御に係る設定条件（例えば、流量、混合比、時間等）のほか、演算部２５において、減圧区間のパルス数Ｓoffset、実吸引区間のパルス数ＳRを取得するために要する各種の情報(例えば、プランジャ移動距離ｌ、シリンダの容積ＶALL、プランジャの径ｄ、吸引区間のパルス数ＳS、送液圧力)が外部から入力される部分である。【００３６】
ここで、吸引区間とは第１プランジャ１３が吸引動作を行っている区間全体、減圧区間とは第１プランジャ１３が吸引動作を開始してからシリンダ内の送液圧力が大気圧まで減圧し、入口側逆止弁８が開放されるまでの区間、実吸引区間とは溶離液が実際に吸引される区間のことである。【００３７】
上記の入力方法としては、例えば、入力装置２４による入力のほかに、これらの情報が記憶された記憶メディアを介した入力、他のコンピュータとネットワークを介した通信によるもの等がある。【００３８】
演算部２５は、入力部２４より入力された情報をもとに、後述する演算式に基づいてそれぞれ演算を行う。具体的には、減圧区間のパルス数Ｓoffset取得部により減圧区間のパルス数Ｓoffsetを、実吸引区間のパルス数ＳR取得部により実吸引区間のパルス数ＳRをそれぞれ求める。【００３９】
記憶部２６は、入力部２４を介して入力された情報、及び演算部２５により求められた減圧区間のパルス数Ｓoffset、実吸引区間のパルス数ＳRが記憶される部分である。【００４０】
送液制御部２７は、記憶部２６に記憶された減圧区間のパルス数Ｓoffset、実吸引区間のパルス数ＳRに基づいて、送液装置３の制御を行う部分である。具体的には、ポンプ部２３、開閉弁７の動作を制御するように指示を与える。【００４１】
出力装置２８は、送液制御部２７より取得した指示に基づいて送液装置３へ制御信号を出力する。【００４２】
図３は送液装置の送液工程における吸引区間の圧力変化の一例を示すグラフである。横軸はプランジャの動作に要するモータ２１のパルス数（n）、縦軸は圧力センサ１２が検出する圧力の値（MPa）を示す。【００４３】
ここで、Ｓsは吸引区間におけるパルス数、Ｓoffsetは減圧区間おけるパルス数、ＳRは実吸引区間におけるパルス数をそれぞれ示している。【００４４】
図５は、本発明の実施の形態に係る送液装置３の動作フローである。【００４５】
図７は第１シリンダ９の圧力変化の概略図と送液工程における吸引側逆止弁、吐出側逆止弁と開閉弁の動作状態の一例を示している。また、図７では、図３で示した吸引区間の圧力変化とその時の開閉弁の開閉タイミングの一例についても示している。第１プランジャ１３の吸引動作開始と共に開閉弁の開閉制御を開始した場合、第１シリンダ９の減圧区間で開放状態となっている開閉弁に接続された溶媒は、第１シリンダ９が大気圧まで減圧されていない為に吸引されない。【００４６】
図３、図５、及び図７に基づいて、本実施の形態に係る送液制御について説明する。【００４７】
まず、第１プランジャ１３の吸引動作が開始されると(Ｓ５０１)、それに伴って第１シリンダ９内の送液圧力が大気圧まで減圧され(Ｓ５０２)、入口側逆止弁８が開放される(Ｓ５０３)。これにより、実際に溶離液の吸引が始まる(Ｓ５０４)。【００４８】
第１プランジャ１３の吸引動作により、第１シリンダ９内が溶離液で満たされ、充填が完了すると(Ｓ５０５)、次に第１プランジャ１３の押し込み動作が開始される(Ｓ５０６)。【００４９】
第１プランジャ１３の押し込み動作により生じる流体の動き(や圧力変化)に伴い入口側逆止弁８が閉鎖されると(Ｓ５０７)、第１シリンダ９内の溶離液が圧縮され第１シリンダ９内が加圧される(Ｓ５０８)。【００５０】
第１シリンダ９内の圧力が、第２シリンダ１１から吐出される溶離液の圧力に達すると吐出側逆止弁１０が開き(Ｓ５０９)、第２シリンダ１１の第２プランジャ１４が、第１プランジャ１３の押し込み動作に同期して吸引動作を行い、第２シリンダ１１内を溶離液で満たす(Ｓ５１０)。【００５１】
第２シリンダ１１内が溶離液で満たされ、充填が完了すると(Ｓ５１１)、次に第２プランジャ１４の押し込み動作が開始される(Ｓ５１２)。【００５２】
第２プランジャ１４の押し込み動作により生じる流体の流れにより、吐出側逆止弁１０が閉鎖されると(Ｓ５１３)、第２シリンダ１１の内部の溶離液が吐出される(Ｓ５１４)。【００５３】
ここで、図６は、本発明の実施の形態に係る操作手順とそれに伴うデータ処理装置１１０の処理を示すフローチャートである。【００５４】
まず図５に示した吸引工程の終了後に開始される送液工程において、〈１〉入口側逆止弁８が閉鎖し(Ｓ５０３)、〈２〉第１プランジャ１３の押し込み動作が開始されてから(Ｓ５０６)、〈３〉第１シリンダ９内の圧力が第２シリンダ１１から吐出される溶離液の圧力Ｐに達し（Ｓ５０８）、〈４〉吐出側逆止弁１０が開くまで（Ｓ５０９）に要した第１プランジャ１３の移動距離ｌC計測する（Ｓ６０１）。【００５５】
この時の移動距離ｌC はデータ処理装置２２の入力部２４により計測され、例えばステッピングモータを使用している場合はパルス数から求められる。またロータリーエンコーダ等を使用し圧縮工程のプランジャ移動距離をモータの回転数から求めることもできる。【００５６】
ここで吸引開始時に大気圧まで減圧する際の体積の増加量dVは、吸引開始時のシリンダ容量V0、シリンダ1の吐出体積Vd、シリンダ1の圧縮体積dVCを用いて式（１）に基づいて求められる。
2014030498.tif 000003
【００５７】
ここで、dV、Vd、dVCを減圧するまでのプランジャ１３の移動距離loffset、圧縮工程のプランジャ１３移動距離lC、送液工程のプランジャ１３移動距離ldで置換えると式(２)が求められる。
2014030498.tif 000004
【００５８】
Soffsetは上記式とパルス数変換係数kを用いると下記式で表わされる。
2014030498.tif 000005
【００５９】
次に上記式（２）に基づいて求めたパルス数Soffsetと吸引区間におけるパルス数SSから実吸引区間におけるパルス数SRが下記式より求められる。
2014030498.tif 000006
【００６０】
前記制御ユニット２２は、上記の演算を行い、ここで求められた実吸引区間におけるパルス数ＳRにおいて、開閉弁７ａ〜７ｄの開閉時間とタイミングを調整することにより（Ｓ６０５）、正確かつ高精度な混合比を実現することが可能になる。【００６１】
図２に示された送液装置３の構成では、第２シリンダ１１に接続された圧力センサ１２により測定される圧力により制御されている。【００６２】
別の態様として、入口側逆止弁８と吐出側逆止弁１０の間に圧力センサを追加した送液装置においても適応することができる。この実施例では追加した圧力センサにより第１シリンダ９内の圧力を直接測定することができるため、第１シリンダ９が大気圧から第２シリンダ１１が送液する圧力までより正確に圧縮することにより圧力脈動の小さい送液が可能になる。【００６３】
図２に示された本実施例の送液装置３の概要図では、２つのシリンダを直列に接続したシリーズ型送液装置を示しているが、２つのシリンダを並列に接続したパラレル型送液装置や、各シリンダがそれぞれモータを有しプランジャが独立して駆動することを特徴とする送液装置においても、送液装置の駆動方式に関わらず、低圧グラジエント送液方式について適用可能である。以下にこれらの実施形態について説明する。
【実施例２】
【００６４】
図８は図２で示した実施例とは異なり、各シリンダが独立した駆動部とモータを有し、プランジャが独立して駆動することを特徴とする送液装置の一例を示している。この例ではモータの回転運動がモータと接続した直動駆動部により直動運動に変換されプランジャを駆動させる。【００６５】
モータ４２，４３の回転運動は、直動駆動部３８，３９に伝達され直動駆動部の往復運動によりプランジャ３４，３５が往復運動する。この直動駆動部として、例えばボールねじが挙げられる。【００６６】
各プランジャの移動方向は接続されたモータの回転方向で決定し、プランジャの移動距離はモータの回転数で認識される。特にステッピングモータを使用した場合はプランジャの移動距離はパルス数としてカウントすることができる。【００６７】
プランジャ３４，３５の位置は直動駆動部３８，３９に設けられた検知板３６，３７と光学、静電容量、磁力線などの方法で検知するセンサ４０，４１を用いて制御ユニット４４により認識される。本実施例で示した検知方法とは異なり、ロータリーエンコーダ等を用いることでプランジャの位置や移動距離を認識することもできる。【００６８】
第２シリンダ３２の下流の配管には、配管内の圧力を計測する圧力センサ３３が設けられ、この圧力センサ３３で計測された配管内の圧力の値が制御ユニット４４へ送られる。【００６９】
制御ユニット４４は、この配管内の圧力の値や送液流量に応じて、各モータの回転数を制御し、プランジャの移動距離と移動速度を調整する。【００７０】
図８に示した送液装置の低圧グラジエント方式においても、第１シリンダの吸引動作区間内の入口側逆止弁が開放している区間において切換装置２に設置された複数の開閉弁７ａ〜７ｄが開閉動作を行う。本方式に関しても、本発明を適用することで混合比精度の改善が期待される。
【実施例３】
【００７１】
図９は図２で示した実施例とは異なり、各シリンダを並列に接続した事を特徴とする送液装置の一例を示している。【００７２】
図９で示した送液装置にて低圧グラジエントを適用する場合、第１シリンダ４７、第２シリンダ５０へ溶媒を供給する分岐点４５よりも上流側に切換え弁７ａ〜７ｄを有する切換装置２を設置する必要がある。【００７３】
各シリンダをパラレル(並列)方式に接続した送液装置では、接続された各シリンダが溶媒の吸引、圧縮、吐出工程を有することを特徴とする。【００７４】
第１シリンダ４７の溶媒吸引から吸引した溶媒の圧縮工程を終えるまでは、第２シリンダ５０が単独で下流のシステムへ吐出を行い、第２シリンダ５０が溶媒吸引から吸引した溶媒の圧縮工程を終えるまでは、第１シリンダ４７が単独で下流のシステムへ吐出を行う。【００７５】
第１シリンダ４７の吸引工程では第１プランジャ５３の引き込み動作により第１シリンダ４７内の圧力が大気圧まで減圧され、入口側逆止弁４６が開放されると同時に溶媒の充填が開始される。入口側逆止弁４６が開放している区間において、制御ユニット６２は開放弁７ａ〜７ｄの開閉時間とタイミングを調整し、混合比を変化させることで溶離液の組成比を変化させる。【００７６】
第１シリンダ４７内が溶媒で充填された後に、第１プランジャ５３の押し込み動作が開始され発生した流体流れにより入口側逆止弁４６が閉鎖し、第１シリンダ４７内の溶離液が圧縮される。【００７７】
第１シリンダ４７内の圧力が、圧力センサ５２で検知される第２シリンダ５０が送液する圧力まで圧縮されると、吐出側逆止弁４８が開放され第１シリンダ４７による送液が開始される。【００７８】
また送液を続けている第２シリンダ５０は送液流量が一定になるように、圧力変動が発生しないように、第１シリンダ４７の吐出を補償しながら減速する。【００７９】
この時、入口側逆止弁４６が閉鎖してから、第１シリンダ４７内が第２シリンダ５０の吐出圧力まで圧縮され吐出側逆止弁４８が開放されるまでの第１プランジャ５３の移動距離ｌ1を計測し、上記式（１）、（２）に基づいて第１シリンダ４７の減圧区間におけるパルス数S1offsetと実吸引区間におけるパルス数S1Rを算出する。【００８０】
算出されたS1R、S1offsetを用いて、第１シリンダ４７の次の吸引工程において開閉弁７ａ〜７ｄの開閉動作を調整する。【００８１】
第２シリンダ５０の第２プランジャ５４が停止すると、第２シリンダ５０の吐出側逆止弁５１は第１シリンダ４７からの吐出により生じる流体流れにより閉鎖し、第１シリンダ４７による単独吐出へと移行する。第１シリンダ４７の吐出区間において、第２シリンダ５０は吸引動作による溶媒の吸引と、吸引した溶媒の送液圧力までの圧縮を行う。【００８２】
第２シリンダ５０内の圧力が、圧力センサ５２で検知される第１シリンダ４７が送液する圧力まで圧縮されると、吐出側逆止弁５１が開放され第２シリンダ５０による送液が開始される。【００８３】
また送液を続けている第１シリンダ４７は送液流量が一定になるように、圧力変動が発生しないように、第２シリンダ５０の吐出を補償しながら減速する。【００８４】
この時、第１シリンダ同様に第２シリンダ５０の圧縮率V2Pを算出する。【００８５】
入口側逆止弁４９が閉鎖してから、第２シリンダ５０内が第１シリンダの吐出圧力まで圧縮され吐出側逆止弁５１が開放されるまでの第２プランジャ５４の移動距離ｌ2を計測し、上記式（１）、（２）に基づいて第２シリンダ５０の減圧区間におけるパルス数S2offsetと実吸引区間におけるパルス数S2Rを算出する。【００８６】
算出された圧縮率V2Pと式(2)及び(3)から算出されるS2R、S2offsetを用いて、第２シリンダ５０の次の吸引工程において開閉弁７ａ〜７ｄの開閉動作を調整する。【００８７】
各シリンダを並列に接続した送液装置では上記駆動サイクルを繰り返すことで、圧力変動の小さい送液を実現する。
各シリンダの圧縮工程で制御ユニットより算出されるプランジャ移動距離ｌと、プランジャ移動距離ｌから算出される減圧区間と実吸引区間に基づいて各シリンダの吸引工程時の切換え弁の切換時間を調整することで本発明を適応することができる。【００８８】
なお、上記の実施形態においては、吸引区間、減圧区間、実吸引区間のそれぞれにおけるプランジャのパルス数を用いて開閉弁の制御を行う場合について説明したが、本発明の適用対象はこれに限られず、例えば、プランジャの移動速度を考慮して、時間(sec)を基準とした制御を行うことも可能である。
【符号の説明】
【００８９】
１  容器（溶離液）
２  切換装置
３  送液装置
４  試料注入部
５  分離カラム
６  検出器
７  開閉弁
８、２９、４６、４９  入口側逆止弁
９、３０、４７  第１シリンダ
１０、３１、４８、５１  吐出側逆止弁
１１、３２、５０  第２シリンダ
１２、３３、５２  圧力センサ
１３、３４、５３  第１プランジャ
１４、３５、５４  第２プランジャ
１５、５５  第１カム
１６、５６  第２カム
１７、５７  カムシャフト
１８、５８  ベルト
１９、５９  円板
２０、６０  センサ
２１、６１  モータ
２２、４４、６２  制御ユニット（データ処理装置）
２３  ポンプ部
２４  入力部
２５  演算部
２６  記憶部
２７  送液制御部
２８  出力部
３６、３７  検知板
３８  第１直動駆動部
３９  第２直動駆動部
４０  第１センサ
４１  第２センサ
４２  第１モータ
４３  第２モータ
４５  分岐部
【図１】
2014030498.tif 000007
【図２】
2014030498.tif 000008
【図３】
2014030498.tif 000009
【図４】
2014030498.tif 000010
【図５】
2014030498.tif 000011
【図６】
2014030498.tif 000012
【図７】
2014030498.tif 000013
【図８】
2014030498.tif 000014
【図９】
2014030498.tif 000015
【手続補正書】
【提出日】平成26年1月9日(2014.1.9)
【手続補正１】
【補正対象書類名】特許請求の範囲
【補正対象項目名】全文
【補正方法】変更
【補正の内容】
【特許請求の範囲】
【請求項１】
溶離液の吸入口と吐出口を有するシリンダと、前記シリンダ内を往復運動するプランジャと、をそれぞれ備える第１のポンプユニットと第２のポンプユニットとを直列または並列に接続し、前記溶離液の吸引、吐出を行う送液ポンプと、
前記送液ポンプが吸引する複数の溶離液の種類を開閉動作によって切り替える弁手段と、
前記送液ポンプの吐出口から吐出される溶離液の圧力を検出する圧力センサと、
当該吐出された溶離液の流路中に液体試料を注入するオートサンプラと、
当該注入された液体試料を成分ごとに分離するカラムと、
当該分離された各成分を成分ごとに検出する検出器と、
前記弁手段の開閉動作を制御する制御部と、を有する液体クロマトグラフ装置であって、
前記制御部は、
前記第１のプランジャによる前記溶離液の圧縮工程および吐出工程において取得される駆動情報に基づいて、
前記第１のプランジャが当該複数の溶離液の吸引動作を開始したのち、前記溶離液の吸引が開始されるまでの減圧区間と、
前記減圧区間ののちに、前記溶離液が実際に吸引されている実吸引区間と、を求め、
前記弁手段の開閉動作が、当該求めた実吸引区間内において行われるように制御することを特徴とする液体クロマトグラフ装置。
【請求項２】
請求項１に記載された液体クロマトグラフ装置において、
前記プランジャを駆動するモータを備え、
前記制御部は、
前記第１のプランジャによる前記溶離液の圧縮工程における移動距離と、前記第１のプランジャによる前記溶離液の送液工程における移動距離と、に基づいて、
前記モータが、前記減圧区間において前記第１のプランジャの動作に要するパルス数と、前記実吸引区間において前記第１のプランジャの動作に要するパルス数と、を求めることを特徴とする液体クロマトグラフ装置。
【請求項３】
請求項１に記載された液体クロマトグラフ装置において、
前記制御部は、
前記第１のプランジャによる前記溶離液の圧縮工程における移動距離と、前記第１のプランジャによる前記溶離液の送液工程における移動距離と、に基づいて、
前記第１のプランジャが、前記減圧区間に移動する距離と、前記実吸引区間に移動する距離と、を求めることを特徴とする液体クロマトグラフ装置。
【請求項４】
請求項１に記載された液体クロマトグラフ装置において、
前記制御部は、
前記実吸引区間内において、当該吸引される溶離液の混合比を変化させるように、前記弁手段の開閉動作を制御することを特徴とする液体クロマトグラフ装置。
【請求項５】
請求項１に記載された液体クロマトグラフ装置において、
前記シリンダ内の圧力を検出する圧力センサをさらに備え、
前記制御部は、
前記シリンダ内の圧力を検出する圧力センサから検出される第１の圧力値と、
前記ポンプの吐出口から吐出される溶離液の圧力を検出する圧力センサから検出される第２の圧力値と、に基づいて、当該溶離液の送液を制御することを特徴とする液体クロマトグラフ。
【請求項６】
請求項５に記載された液体クロマトグラフ装置において、
前記プランジャを駆動するモータを備え、
前記制御部は、
前記第１のプランジャによる前記溶離液の圧縮工程における移動距離と、前記第１のプランジャによる前記溶離液の送液工程における移動距離と、に基づいて、
前記モータが、前記減圧区間において前記第１のプランジャの動作に要するパルス数と、前記実吸引区間において前記第１のプランジャの動作に要するパルス数と、を求めることを特徴とする液体クロマトグラフ装置。
【請求項７】
請求項５に記載された液体クロマトグラフ装置において、
前記制御部は、
前記第１のプランジャによる前記溶離液の圧縮工程における移動距離と、前記第１のプランジャによる前記溶離液の送液工程における移動距離と、に基づいて、
前記第１のプランジャが、前記減圧区間に移動する距離と、前記実吸引区間に移動する距離と、を求めることを特徴とする液体クロマトグラフ装置。
【請求項８】
溶離液の吸入口と吐出口を有するシリンダと、前記シリンダ内を往復運動するプランジャと、をそれぞれ備える第１のポンプユニットと第２のポンプユニットとを直列または並列に接続し、前記溶離液の吸引、吐出を行うポンプ部と、
前記ポンプ部が吸引する複数の溶離液の種類を開閉動作によって切り替える弁手段と、
前記ポンプ部の吐出口から吐出される溶離液の圧力を検出する圧力センサと、
前記弁手段の開閉動作を制御する制御部と、を有する送液装置であって、
前記制御部は、
前記第１のプランジャによる前記溶離液の圧縮工程および吐出工程において取得される駆動情報に基づいて、
前記第１のプランジャが当該複数の溶離液の吸引動作を開始したのち、前記溶離液の吸引が開始されるまでの減圧区間と、
前記減圧区間ののちに、前記溶離液が実際に吸引されている実吸引区間と、を求め、
前記弁手段の開閉動作が、当該求めた実吸引区間内において行われるように制御することを特徴とする送液装置。
【請求項９】
請求項８に記載された送液装置において、
前記プランジャを駆動するモータを備え、
前記制御部は、
前記第１のプランジャによる前記溶離液の圧縮工程における移動距離と、前記第１のプランジャによる前記溶離液の送液工程における移動距離と、に基づいて、
前記モータが、前記減圧区間において前記第１のプランジャの動作に要するパルス数と、前記実吸引区間において前記第１のプランジャの動作に要するパルス数と、を求めることを特徴とする送液装置。
【請求項１０】
請求項８に記載された送液装置において、
前記制御部は、
前記第１のプランジャによる前記溶離液の圧縮工程における移動距離と、前記第１のプランジャによる前記溶離液の送液工程における移動距離と、に基づいて、
前記第１のプランジャが、前記減圧区間に移動する距離と、前記実吸引区間に移動する距離と、を求めることを特徴とする送液装置。
【請求項１１】
請求項８に記載された送液装置において、
前記制御部は、
前記実吸引区間内において、当該吸引される溶離液の混合比を変化させるように、前記弁手段の開閉動作を制御することを特徴とする送液装置。
【請求項１２】
請求項８に記載された送液装置において、
前記シリンダ内の圧力を検出する圧力センサをさらに備え、
前記制御部は、
前記シリンダ内の圧力を検出する圧力センサから検出される第１の圧力値と、
前記ポンプの吐出口から吐出される溶離液の圧力を検出する圧力センサから検出される第２の圧力値と、に基づいて、当該溶離液の送液を制御することを特徴とする送液装置。
【請求項１３】
請求項１０に記載された送液装置において、
前記プランジャを駆動するモータを備え、
前記制御部は、
前記第１のプランジャによる前記溶離液の圧縮工程における移動距離と、前記第１のプランジャによる前記溶離液の送液工程における移動距離と、に基づいて、
前記モータが、前記減圧区間において前記第１のプランジャの動作に要するパルス数と、前記実吸引区間において前記第１のプランジャの動作に要するパルス数と、を求めることを特徴とする送液装置。
【請求項１４】
請求項１０に記載された送液装置において、
前記制御部は、
前記第１のプランジャによる前記溶離液の圧縮工程における移動距離と、前記第１のプランジャによる前記溶離液の送液工程における移動距離と、に基づいて、
前記第１のプランジャが、前記減圧区間に移動する距離と、前記実吸引区間に移動する距離と、を求めることを特徴とする送液装置。
【手続補正書】
【提出日】平成27年9月18日(2015.9.18)
【手続補正１】
【補正対象書類名】特許請求の範囲
【補正対象項目名】全文
【補正方法】変更
【補正の内容】
【特許請求の範囲】
【請求項１】
溶離液の吸入口と吐出口を有するシリンダと、前記シリンダ内を往復運動するプランジャと、をそれぞれ備える第１のポンプユニットと第２のポンプユニットとを直列または並列に接続し、前記溶離液の吸引、吐出を行う送液ポンプと、
前記送液ポンプが吸引する複数の溶離液の種類を開閉動作によって切り替える弁手段と、
前記送液ポンプの吐出口から吐出される溶離液の圧力を検出する圧力センサと、
当該吐出された溶離液の流路中に液体試料を注入するオートサンプラと、
当該注入された液体試料を成分ごとに分離するカラムと、
当該分離された液体試料を成分ごとに検出する検出器と、
前記弁手段の開閉動作を制御する制御部と、を有する液体クロマトグラフ装置であって、
前記制御部は、
前記プランジャによる前記溶離液の圧縮工程および吐出工程において取得される駆動情報に基づいて、
前記プランジャが当該複数の溶離液の吸引動作を開始したのち、前記溶離液の吸引が開始されるまでの減圧区間と、
前記減圧区間ののちに、前記溶離液が実際に吸引されている実吸引区間と、を求め、
前記弁手段の開閉動作が、当該求めた実吸引区間内において行われるように制御することを特徴とする液体クロマトグラフ装置。
【請求項２】
請求項１に記載された液体クロマトグラフ装置において、
前記プランジャを駆動するモータを備え、
前記制御部は、
前記プランジャによる前記溶離液の圧縮工程における移動距離と、前記プランジャによる前記溶離液の送液工程における移動距離と、に基づいて、
前記モータが、前記減圧区間において前記プランジャの動作に要するパルス数と、前記実吸引区間において前記プランジャの動作に要するパルス数と、を求めることを特徴とする液体クロマトグラフ装置。
【請求項３】
請求項１に記載された液体クロマトグラフ装置において、
前記制御部は、
前記プランジャによる前記溶離液の圧縮工程における移動距離と、前記プランジャによる前記溶離液の送液工程における移動距離と、に基づいて、
前記プランジャが、前記減圧区間に移動する距離と、前記実吸引区間に移動する距離と、を求めることを特徴とする液体クロマトグラフ装置。
【請求項４】
請求項１に記載された液体クロマトグラフ装置において、
前記制御部は、
前記実吸引区間内において、当該吸引される溶離液の混合比を変化させるように、前記弁手段の開閉動作を制御することを特徴とする液体クロマトグラフ装置。
【請求項５】
請求項１に記載された液体クロマトグラフ装置において、
前記シリンダ内の圧力を検出する圧力センサをさらに備え、
前記制御部は、
前記シリンダ内の圧力を検出する圧力センサから検出される第１の圧力値と、
前記ポンプの吐出口から吐出される溶離液の圧力を検出する圧力センサから検出される第２の圧力値と、に基づいて、当該溶離液の送液を制御することを特徴とする液体クロマトグラフ装置。
【請求項６】
請求項５に記載された液体クロマトグラフ装置において、
前記プランジャを駆動するモータを備え、
前記制御部は、
前記プランジャによる前記溶離液の圧縮工程における移動距離と、前記プランジャによる前記溶離液の送液工程における移動距離と、に基づいて、
前記モータが、前記減圧区間において前記プランジャの動作に要するパルス数と、前記実吸引区間において前記プランジャの動作に要するパルス数と、を求めることを特徴とする液体クロマトグラフ装置。
【請求項７】
請求項５に記載された液体クロマトグラフ装置において、
前記制御部は、
前記プランジャによる前記溶離液の圧縮工程における移動距離と、前記プランジャによる前記溶離液の送液工程における移動距離と、に基づいて、
前記プランジャが、前記減圧区間に移動する距離と、前記実吸引区間に移動する距離と、を求めることを特徴とする液体クロマトグラフ装置。
【請求項８】
溶離液の吸入口と吐出口を有するシリンダと、前記シリンダ内を往復運動するプランジャと、をそれぞれ備える第１のポンプユニットと第２のポンプユニットとを直列または並列に接続し、前記溶離液の吸引、吐出を行うポンプ部と、
前記ポンプ部が吸引する複数の溶離液の種類を開閉動作によって切り替える弁手段と、
前記ポンプ部の吐出口から吐出される溶離液の圧力を検出する圧力センサと、
前記弁手段の開閉動作を制御する制御部と、を有する送液装置であって、
前記制御部は、
前記プランジャによる前記溶離液の圧縮工程および吐出工程において取得される駆動情報に基づいて、
前記プランジャが当該複数の溶離液の吸引動作を開始したのち、前記溶離液の吸引が開始されるまでの減圧区間と、
前記減圧区間ののちに、前記溶離液が実際に吸引されている実吸引区間と、を求め、
前記弁手段の開閉動作が、当該求めた実吸引区間内において行われるように制御することを特徴とする送液装置。
【請求項９】
請求項８に記載された送液装置において、
前記プランジャを駆動するモータを備え、
前記制御部は、
前記プランジャによる前記溶離液の圧縮工程における移動距離と、前記プランジャによる前記溶離液の送液工程における移動距離と、に基づいて、
前記モータが、前記減圧区間において前記プランジャの動作に要するパルス数と、前記実吸引区間において前記プランジャの動作に要するパルス数と、を求めることを特徴とする送液装置。
【請求項１０】
請求項８に記載された送液装置において、
前記制御部は、
前記プランジャによる前記溶離液の圧縮工程における移動距離と、前記プランジャによる前記溶離液の送液工程における移動距離と、に基づいて、
前記プランジャが、前記減圧区間に移動する距離と、前記実吸引区間に移動する距離と、を求めることを特徴とする送液装置。
【請求項１１】
請求項８に記載された送液装置において、
前記制御部は、
前記実吸引区間内において、当該吸引される溶離液の混合比を変化させるように、前記弁手段の開閉動作を制御することを特徴とする送液装置。
【請求項１２】
請求項８に記載された送液装置において、
前記シリンダ内の圧力を検出する圧力センサをさらに備え、
前記制御部は、
前記シリンダ内の圧力を検出する圧力センサから検出される第１の圧力値と、
前記ポンプの吐出口から吐出される溶離液の圧力を検出する圧力センサから検出される第２の圧力値と、に基づいて、当該溶離液の送液を制御することを特徴とする送液装置。
【請求項１３】
請求項１０に記載された送液装置において、
前記プランジャを駆動するモータを備え、
前記制御部は、
前記プランジャによる前記溶離液の圧縮工程における移動距離と、前記プランジャによる前記溶離液の送液工程における移動距離と、に基づいて、
前記モータが、前記減圧区間において前記プランジャの動作に要するパルス数と、前記実吸引区間において前記プランジャの動作に要するパルス数と、を求めることを特徴とする送液装置。
【請求項１４】
請求項１０に記載された送液装置において、
前記制御部は、
前記プランジャによる前記溶離液の圧縮工程における移動距離と、前記プランジャによる前記溶離液の送液工程における移動距離と、に基づいて、
前記プランジャが、前記減圧区間に移動する距離と、前記実吸引区間に移動する距離と、を求めることを特徴とする送液装置。
【国際調査報告】
2014030498.tif 000016
2014030498.tif 000017
2014030498.tif 000018
2014030498.tif 000019